(57)【要約】【課題】  ドロップケーブルの挿通作業が容易にでき、また、分岐ケーブル等の保守や追加挿入、撤去の際、既設のドロップケーブルが作業の障害とならないケーブル接続部用クロージャを得る。【解決手段】  主ケーブル３に分岐ケーブル５やドロップケーブル７を接続した光ケーブル接続部９の外周を収容し保護するクロージャ５１は、筒状ケース５３の両端の開口を塞ぐ端面板７１が、ドロップケーブル７用の複数個のケーブル挿通部６７を、主ケーブル３用及び分岐ケーブル５用のケーブル挿通部６３，６５から離し、且つ、これらのケーブル挿通部６３，６５に対し同心とならない位置に集中配置させている。【選択図】        図３
2005295749.tif 000002
【特許請求の範囲】
【請求項１】
筒状ケースと、前記筒状ケース内に導入されるケーブル毎にケーブル挿通部を形成した端面板と、前記ケーブル挿通部を挿通したケーブルを前記筒状ケース内で把持固定するケーブル把持金具とを備えたケーブル接続用クロージャであって、
前記端面板における主ケーブル用及び分岐ケーブル用のケーブル挿通部には、ケーブルを挿通させる際に挿通部を開く割り面が備えられると共に、
前記端面板は、前記主ケーブルと接続したドロップケーブルの挿通作業時に前記主ケーブル又は分岐ケーブルが邪魔とならないように、前記ドロップケーブル用のケーブル挿通部を、前記主ケーブル用及び分岐ケーブル用のケーブル挿通部から離し、且つ、前記主ケーブル用及び分岐ケーブル用のケーブル挿通部と同心とならない位置に集中配置させていることを特徴とするケーブル接続部用クロージャ。
【請求項２】
前記端面板は、前記主ケーブル用及び分岐ケーブル用のケーブル挿通部が、それぞれ、専用の割り面によって個別に開閉可能にされていることを特徴とする請求項１に記載のケーブル接続部用クロージャ。
【請求項３】
前記端面板は、前記ドロップケーブル用の複数個のケーブル挿通部を、前記主ケーブル用のケーブル挿通部に対する割り面のヒンジ結合部付近に配置したことを特徴とする請求項１又は２のいずれかに記載のケーブル接続部用クロージャ。
【請求項４】
前記ケーブル把持金具は、外周部の周方向に位置をずらした複数箇所で、且つ、前記端面板上の各ケーブル挿通部に対応した各位置に、径方向外方から割り込ませたケーブルを把持可能なケーブル把持溝が形成されていることを特徴とする請求項１乃至請求項３のいずれか一項に記載のケーブル接続部用クロージャ。
【請求項５】
前記ケーブル把持金具は、各ケーブルの挿通方向に直交する同一面上に各ケーブル把持溝を配置した一体成形品であることを特徴とする請求項４に記載のケーブル接続部用クロージャ。
【発明の詳細な説明】
【技術分野】
【０００１】
本発明は、ケーブル接続部用クロージャに関するもので、特に、主ケーブルと分岐ケーブルあるいはドロップケーブルとのクロージャ内での接続や収容等の作業性を向上させるための改良に関する。
【背景技術】
【０００２】
図６乃至図９は、主ケーブルに分岐ケーブル又はドロップケーブルを接続した光ケーブル接続部を収容し保護するケーブル接続部用クロージャの従来例を示したものである。
このケーブル接続部用クロージャ１は、主ケーブル３に分岐ケーブル５又はドロップケーブル７を接続した光ケーブル接続部９の外周を被包する筒状ケース１１で構成される。
筒状ケース１１内には、各ケーブル３，５，７が出入りする筒状ケース１１の両端の開放部１１ａ，１１ｂを塞ぐと共に筒状ケース１１内に導入されるケーブル３，５，７毎にケーブル挿通部１３，１５，１７が形成された端面板２１と、ケーブル挿通部１３，１５，１７を挿通した各ケーブル３，５，７を筒状ケース１１内で把持固定するケーブル把持金具３７とが装備されている（例えば、特許文献１参照）。
【０００３】
筒状ケース１１は、上記のように光ケーブル接続部９を収容すると共に、一側を開放したケース本体１２ａと、このケース本体１２ａの開放面を覆うカバー１２ｂとで両端を開放した筒構造を形成している。図示例の場合、カバー１２ｂは、その一側縁１２ｃがケース本体１２ａの一方の開放側縁にヒンジ結合されて、図６に矢印Ａで示すように開閉可能になっている。カバー１２ｂの他方の側縁１２ｄには、カバー１２ｂを閉じた時にケース本体１２ａ側の係合部に係止される弾性係止片１２ｅが装備されている。
【０００４】
端面板２１は、図７に示すように、例えば、主ケーブル３を挿通させるための一つのケーブル挿通部１３と、分岐ケーブル５を挿通させるための２つのケーブル挿通部１５とを、縦一列に配置している。
この端面板２１は、硬質樹脂又は金属等で形成されて外郭形状をなす外郭基材２７と、この外郭基材２７の内周部に装着されて各ケーブル挿通部１３，１５，１７を提供するゴム製のシール板２９，３０，３１とを備える。
ケーブル挿通部１５を提供するシール板３０，３１には、ドロップケーブル７を挿通させるための複数個のケーブル挿通部１７が、ケーブル挿通部１５の周囲に同心円上に形成されている。
【０００５】
端面板２１を構成している外郭基材２７及びシール板２９，３０，３１は、図７に示すように、各ケーブル挿通部１３，１５，１５の中心を通る垂直面が割り面３３となっていて、図８に示すように、この割り面３３によって２分割に開閉可能になっている。
従って、外郭基材２７及びシール板２９，３０，３１は、図８に示すように、割り面３３で端面板２１を開いた状態にすることにより、各ケーブル挿通部１３，１５，１５に簡単にケーブル３，５，５を割り込ませることができる。
【０００６】
ケーブル把持金具３７は、図７に示すように、ケース本体１２ａに固定される金具取付体３５に着脱可能に取り付けられている。
金具取付体３５の垂直方向に延びたフランジ部３５ａには、端面板２１上の各ケーブル挿通部１３，１５，１５の配列ピッチに対応して、３つのケーブル把持金具３７が装着可能になっている。
【０００７】
ケーブル把持金具３７は、光ケーブルを挿通させるケーブル把持溝３８を形成する略Ｕ字状のクランプ部４１と、このクランプ部４１の対向する一対のアーム部４１ａ，４１ａに螺合して装備された一対の鬼目ねじ４３，４３とから構成されていて、ケーブル把持溝３８に挿通されたケーブルを一対の鬼目ねじ４３，４３で挟持することで、ケーブルの把持・固定を行うことができる。
【０００８】
【特許文献１】特開平１１−２６２１６１号公報
【発明の開示】
【発明が解決しようとする課題】
【０００９】
ところで、図７に示したように、分岐ケーブル５を挿通させるケーブル挿通部１５の周囲に、略同心円状にドロップケーブル７用の複数個のケーブル挿通部１７を装備した従来の端面板２１では、図９にも示したように、ケーブル挿通部１７を挿通したドロップケーブル７の前方が、クランプ部４１や一対の鬼目ねじ４３，４３によって覆われている。このため、クランプ部４１や一対の鬼目ねじ４３，４３は、ドロップケーブル７をクロージャ内に引き込むための挿通作業の邪魔になり、ドロップケーブル７の挿通処理時の作業性を低下させ、また、ドロップケーブル７の追加接続時にも障害となる。
【００１０】
また、複数本のドロップケーブル７の布設が完了すると、ドロップケーブル７の束の中に埋もれてしまう形態の分岐ケーブル５は、ドロップケーブル７が邪魔になって保守性が悪い。また、分岐ケーブル５の撤去や追加等のため端面板２１を割り面３３によって開くと、既設のドロップケーブル７の束が、割り面３３で開閉するシール板３０，３１に引っ張られて大きな張力や曲げ応力がかかることとなり、これによって、ドロップケーブル７に損傷を与えるなどの不都合を生じる虞がある。
【００１１】
本発明の目的は、ケーブル把持金具がドロップケーブルの挿通作業の邪魔にならず、また、主ケーブルや分岐ケーブルの保守や追加挿入、撤去を行う場合でも、既設のドロップケーブルが作業の邪魔にならないケーブル接続部用クロージャを提供することにある。
また、端面板を割り面で開いた際に、既設のドロップケーブルの束に大きな張力や曲げ応力をかけずに、ドロップケーブルの損傷等を防止することができるケーブル接続部用クロージャを提供することにある。
【課題を解決するための手段】
【００１２】
本発明に係るケーブル接続部用クロージャは、筒状ケースと、前記筒状ケース内に導入されるケーブル毎にケーブル挿通部を形成した端面板と、前記ケーブル挿通部を挿通したケーブルを前記筒状ケース内で把持固定するケーブル把持金具とを備えたケーブル接続用クロージャであって、前記端面板における主ケーブル用及び分岐ケーブル用のケーブル挿通部には、ケーブルを挿通させる際に挿通部を開く割り面が備えられると共に、前記端面板は、前記主ケーブルと接続したドロップケーブルの挿通作業時に前記主ケーブル又は分岐ケーブルが邪魔とならないように、前記ドロップケーブル用のケーブル挿通部を、前記主ケーブル用及び分岐ケーブル用のケーブル挿通部から離し、且つ、前記主ケーブル用及び分岐ケーブル用のケーブル挿通部と同心とならない位置に集中配置させていることを特徴とする。
【００１３】
また、本発明に係るケーブル接続部用クロージャにおいて、前記端面板は、主ケーブル用及び分岐ケーブル用のケーブル挿通部が、それぞれ、専用の割り面によって個別に開閉可能にされていることを特徴とするとよい。
【００１４】
また、本発明に係るケーブル接続部用クロージャにおいて、前記端面板は、前記ドロップケーブル用の複数個のケーブル挿通部を、前記主ケーブル用のケーブル挿通部に対する割り面のヒンジ結合部付近に配置したことを特徴とするとよい。
【００１５】
更に、本発明に係るケーブル接続部用クロージャにおいて、前記ケーブル把持金具は、外周部の周方向に位置をずらした複数箇所で、且つ、前記端面板上の各ケーブル挿通部に対応した各位置に、径方向外方から割り込ませたケーブルを把持可能なケーブル把持溝が形成されていることを特徴とするとよい。
【００１６】
また、本発明に係るケーブル接続部用クロージャにおいて、前記ケーブル把持金具は、各ケーブルの挿通方向に直交する同一面上に各ケーブル把持溝を配置した一体成形品であることを特徴とするとよい。
【発明の効果】
【００１７】
本発明のケーブル接続部用クロージャによれば、複数本のドロップケーブル用に端面板に装備するケーブル挿通部は、主ケーブル及び分岐ケーブル用のケーブル挿通部から離れ、且つ、主ケーブル及び分岐ケーブル用のケーブル挿通部に対して同心にならない位置に集中配置されている。
従って、主ケーブル又は分岐ケーブル用のケーブル把持金具が、ドロップケーブル用のケーブル挿通部の前方を塞ぐことがなくなり、また、複数本のドロップケーブルが分岐ケーブルの周囲を囲うこともない。
従って、ケーブル把持金具がドロップケーブルの挿通作業の邪魔とはならず、また、分岐ケーブル等の保守や追加挿入、撤去の場合に、既設のドロップケーブルが作業の邪魔になることもなく、ドロップケーブルの挿通作業や、分岐ケーブル等の光ケーブルの保守作業や追加挿入、撤去作業の作業性を向上させることができる。
【００１８】
また、主ケーブル及び分岐ケーブル用の各ケーブル挿通部が、それぞれ、専用の割り面によって個別に開閉可能で、更に、主ケーブル用のケーブル挿通部における割り面のヒンジ結合部付近に、ドロップケーブル用の複数個のケーブル挿通部を集中配置した構成とすれば、分岐ケーブルの保守や追加、撤去のために端面板を割り面で開く際に、既設のドロップケーブルの束に大きな張力や曲げ応力をかけることなく、ドロップケーブルの損傷等を防止することができる。
【発明を実施するための最良の形態】
【００１９】
以下、本発明に係るケーブル接続部用クロージャの好適な実施の形態について、図面を参照して詳細に説明する。
図１乃至図５は本発明に係るケーブル接続部用クロージャの一実施の形態を示したもので、図１は本発明の一実施の形態のケーブル接続部用クロージャの筒状ケースを開いた状態の平面図、図２は図１のＤ部の拡大斜視図、図３は図２の端面板の正面図、図４は図３に示した端面板の各ケーブル挿通部をそれぞれの割り面で開いた状態の説明図、図５は図２に示したケーブル把持金具の正面図である。
【００２０】
この一実施の形態のケーブル接続部用クロージャ５１は、主ケーブル３等の光ケーブルに分岐ケーブル５やドロップケーブル７を接続する光ケーブル接続部９を収容し保護するもので、光ケーブル接続部９の外周を被包する筒状ケース５３と、各ケーブル３，５，７が出入りする筒状ケース５３の両端の開放部５３ａ，５３ｂを水密状態に塞ぐと共に、筒状ケース５３内に導入されるケーブル３，５，７毎にケーブル挿通部６３，６５，６７が形成された端面板７１と、ケーブル挿通部６３，６５，６７を挿通した各ケーブル３，５，７を筒状ケース５３内で把持固定するケーブル把持金具７３とを備えている。
【００２１】
筒状ケース５３は、上記のように光ケーブル接続部９を収容すると共に、一側を開放したケース本体５４と、このケース本体５４の開放面を覆うカバー５５とで両端を開放した筒構造を形成したものである。図示例の場合、カバー５５は、その一側縁５５ａがケース本体５４の一方の開放側縁にヒンジ結合されて、開閉可能になっている。カバー５５の他方の側縁５５ｂには、カバー５５を閉じた時にケース本体５４側の係合部に係止される弾性係止片５５ｃが装備されている。
【００２２】
端面板７１は、図３に示すように、例えば、主ケーブル３を挿通させるための一つのケーブル挿通部６３を、中心軸Ｌ１上の下部寄りの位置に配置している。更に、例えば、分岐ケーブル５を挿通させるための２つのケーブル挿通部６５，６５を、中心軸Ｌ１の両側に一定距離離間させ、且つ、主ケーブル用のケーブル挿通部６３よりも上方側に位置をずらして配置している。
【００２３】
この端面板７１は、硬質樹脂又は金属等で形成されて外郭形状をなす外郭基材７７と、この外郭基材７７の内周部に装着されて各ケーブル挿通部６３，６５，６７を提供するゴム製のシール板７９，８０，８０，８１とを備えている。
【００２４】
本実施の形態の端面板７１は、ドロップケーブル７の挿通作業時に主ケーブル３又は分岐ケーブル５が邪魔にならないように、ドロップケーブル用の複数個のケーブル挿通部６７を、主ケーブル用及び分岐ケーブル用のケーブル挿通部６３，６５から離し、且つ、主ケーブル用及び分岐ケーブル用のケーブル挿通部６３，６５に対して同心とならない位置に集中配置している。
本実施の形態の場合、ドロップケーブル用の複数個のケーブル挿通部６７を配置する領域は、中心軸Ｌ１上でケーブル挿通部６３から上方に離れた領域である。
従って、４つのシール板７９，８０，８０，８１の中心を結ぶ図形は、略菱形となる。
【００２５】
端面板７１を構成している外郭基材７７及びシール板７９，８０，８１は、図３及び図４に示すように、各ケーブル挿通部６３，６５の中心を通る三つの垂直面が専用の割り面８３，８４，８５となっていて、更に割り面８３，８４，８５の一端側はヒンジ結合部８６ａ，８６ｂ，８６ｃになっていて、図４に示すように、これらの割り面８３，８４，８５によって各挿通部が開閉可能になっている。
即ち、外郭基材７７は、割り面８３，８４，８５によって四つの部品７７ａ，７７ｂ，７７ｃ，７７ｄに分割される。また、シール板７９は割り面８３によって二つの部品７９ａ，７９ｂに分割され、シール板８０は割り面８４又は８５によって二つの部品８０ａ，８０ｂに分割されている。
【００２６】
本実施の形態の場合、ドロップケーブル用の複数個のケーブル挿通部６７は、主ケーブル用のケーブル挿通部６３に対する割り面８３のヒンジ結合部８６ｂ付近に配置されている。そして、集中配置されたケーブル挿通部６７を提供するシール板８１は、シール板７９と一体化された構成で、シール板７９と同じ割り面８３によって２分割されている。
【００２７】
以上の端面板７１は、図４に示すように、各割り面８３，８４，８５で外郭基材７７を開いた状態にすることで、各ケーブル挿通部６３，６５，６５に簡単にケーブル３，５，５を割り込ませることができる。
【００２８】
ケーブル把持金具７３は、図２に示すように、ケース本体５４に固定される金具本体７４と、この金具本体７４に螺合装着される鬼目ねじ４３とから構成されている。
【００２９】
金具本体７４は、アルミダイキャスト等による一体成形品で、図５に示すように、外周部の周方向に位置をずらした複数箇所で、且つ、端面板７１上の各ケーブル挿通部６３，６５，６７に対応した各位置に、径方向外方から割り込ませたケーブル３，５，７を把持可能なケーブル把持溝８７，８８，８９が形成されている
金具本体７４は側面視では一枚の厚板状で、各ケーブル把持溝８７，８８，８９は、各ケーブルの挿通方向に直交する同一面上で径方向外方に開放し、且つ、放射状に分散配置された形態となっている。
【００３０】
挿通されたケーブルを把持するための鬼目ねじ４３は、図５に示すように、互いに対向して各ケーブル把持溝８７，８８を形成する把持用アーム部７４ａに螺合装着されていて、図中の矢印方向にねじ込むことによって、ケーブルを把持する。
なお、ドロップケーブル７を把持するケーブル把持溝８９は、金具本体７４と別体構造の樹脂成型品が一体化され、各ドロップケーブル７を係入させることで整列状態に係止する位置規制板７５によって形成されている。
【００３１】
以上に説明したケーブル接続部用クロージャ５１によれば、複数本のドロップケーブル７用に端面板７１に装備するケーブル挿通部６７は、図２及び図３に示すように、主ケーブル３用及び分岐ケーブル５用のケーブル挿通部６３，６５から離れ、且つ、主ケーブル３用及び分岐ケーブル５用のケーブル挿通部６３，６５に対して同心にならない位置に集中配置されている。
従って、図２にも示しているように、ケーブル把持金具７３が、ドロップケーブル７用のケーブル挿通部６７の前方を塞ぐことがなくなり、また、複数本のドロップケーブル７が分岐ケーブル５の周囲を囲うこともない。
【００３２】
従って、ケーブル把持金具７３がドロップケーブル７の挿通作業の邪魔にならず、また、分岐ケーブル５の保守や追加挿入、撤去の場合に、既設のドロップケーブル７が作業の邪魔になることもなく、ドロップケーブル７の挿通作業や、分岐ケーブル５等の光ケーブルの保守作業や追加挿入、撤去作業の作業性を向上させることができる。
【００３３】
また、本実施の形態では、主ケーブル３用及び分岐ケーブル５用の各ケーブル挿通部６３，６５が、それぞれ、専用の割り面８３，８４，８５によって個別に開閉可能で、更に、主ケーブル３用の割り面８３のヒンジ結合部８６ｂ付近に、ドロップケーブル７用の複数個のケーブル挿通部６７を集中配置した構成のため、各ケーブル３，５の保守や追加、撤去のために端面板７１を割り面で開いた際に、既設のドロップケーブル７の束に大きな張力や曲げ応力をかけず、ドロップケーブル７の損傷を防止して、安全、且つ、円滑に作業を進めることができる。
【００３４】
更に、本実施の形態の場合、ケーブル把持金具７３に装備する複数個のケーブル把持溝８７，８８，８９は、何れも外方に開放する形状であるため、各ケーブル３，５，７を挿通や取り外す際にも他の既設のケーブルが邪魔とならずに作業を行うことができる。
また、ケーブル把持金具７３は上記した形状であるため、ダイキャスト成形等によって一体成形し易く、金具取付体３５上に複数個のクランプ部４１を組み付ける従来のケーブル把持金具３７（いずれも図７参照）の構造と比較すると、ケーブル把持金具７３自体の生産性向上、コスト低減を図ることができる。
【００３５】
その他、前述した各実施の形態において例示した分岐ケーブル５用のケーブル挿通部６５の装備数、ドロップケーブル７用のケーブル挿通部６７の装備数、ケーブル把持金具７３の金具本体７４の具体的な形状等は、本発明の趣旨を逸脱しない範囲で、適宜に設計変更可能である。
【図面の簡単な説明】
【００３６】
【図１】本発明に係るケーブル接続部用クロージャの一実施の形態の筒状ケースを開いた状態の平面図である。
【図２】図１のＤ部の拡大斜視図である。
【図３】図２の端面板の正面図である。
【図４】図３に示した端面板の割り面で開いた状態の説明図である。
【図５】図２に示したケーブル把持金具の正面図である。
【図６】従来のケーブル接続部用クロージャの斜視図である。
【図７】図６のＢ部の拡大斜視図である。
【図８】図６のケーブル接続部用クロージャに使用されている端面板を、割り面で開いた状態の斜視図である。
【図９】図７のＣ矢視図である。
【符号の説明】
【００３７】
３  主ケーブル
５  分岐ケーブル
７  ドロップケーブル
９  光ケーブル接続部
４３  鬼目ねじ
５１  ケーブル接続部用クロージャ
５３  筒状ケース
５４  ケース本体
５５  カバー
６３，６５，６７  ケーブル挿通部
７１  端面板
７３  ケーブル把持金具
７４  金具本体
７５  位置規制板
７７  外郭基材
７９，８０，８１  シール板
８３，８４，８５  割り面
８６ａ，８６ｂ，８６ｃ  ヒンジ結合部
【図１】
2005295749.tif 000003
【図２】
2005295749.tif 000004
【図３】
2005295749.tif 000005
【図４】
2005295749.tif 000006
【図５】
2005295749.tif 000007
【図６】
2005295749.tif 000008
【図７】
2005295749.tif 000009
【図８】
2005295749.tif 000010
【図９】
2005295749.tif 000011